(57)【要約】      （修正有）【課題】魚体から外れにくく、かつ、耐久性の良好な逆さ針を提供する。【解決手段】外形形状を略Ｊ字形状に湾曲して構成され、先端側の端末５ａが魚体に突き刺し可能に構成される針本体３と、針本体の元部３ａ側から延びるとともに先端９ａが端末５ａ近傍に配置されて針本体の魚体からの外れを抑制する外れ抑制ピン８と、を備える。外れ抑制ピン８は、金属製の線状材から構成され、先端９ａが、魚体に突き刺し可能に構成されるとともに、針本体の端末５ａ近傍において、端末５ａの魚体からの抜け方向に略沿った方向側で、端末５ａと対向配置されている。【選択図】図１
0003194960.tif 000002
【実用新案登録請求の範囲】
【請求項１】
外形形状を略Ｊ字形状に湾曲して構成されて、先端側の端末を魚体に突き刺し可能に構成される針本体と、
該針本体の元部側から延びるとともに先端を前記端末近傍に位置させるように配置されて、前記針本体の前記魚体からの外れを抑制する外れ抑制ピンと、
を備える構成の逆さ針であって、
前記外れ抑制ピンが、金属製の線状材から構成されて、前記先端を、前記魚体に突き刺し可能に構成されるとともに、前記先端を、前記針本体の端末近傍において、該端末の前記魚体からの抜け方向に略沿った方向側で、前記端末と対向させて配置させるように、形成されていることを特徴とする逆さ針。
【請求項２】
前記外れ抑制ピンが、形状記憶合金製とされていることを特徴とする請求項１に記載の逆さ針。
【考案の詳細な説明】
【技術分野】
【０００１】
本考案は、鮎の友釣りに好適に使用される逆さ針に関する。
【背景技術】
【０００２】
一般に、鮎の友釣りは、予め捕獲しておいた囮鮎を用い、この囮鮎を、河川における川底付近の野鮎の生息ポイントに誘導して、野鮎に囮鮎を攻撃させることにより、囮鮎から出ているハリスに連結されている掛針を用いて、野鮎を釣り上げる方法である。そして、この友釣りでは、囮鮎は鼻カンと背針とによってハリスに取り付けられている。また、この友釣りでは、掛針を、囮鮎の尻尾の後方に配置させるために、ハリスに逆さ針を装着し、この逆さ針を、囮鮎の尾鰭の付根近傍に刺して固定することにより、掛針の囮鮎からの位置を調節している。しかしながら、この逆さ針は、囮鮎の尾鰭の付根近傍に浅く刺して使用するものであることから、囮鮎から外れやすいという問題点があり、このような問題点を改善するために、逆さ針として、囮鮎に突き刺す針本体と、針本体の囮鮎からの外れを防止する外れ防止片と、を備える構成ものがあった（例えば、特許文献１参照）。この逆さ針は、先端側を略Ｕ字形状に湾曲させた針本体の端末付近に、針本体の元部側から延びるようにして、可撓性を有した合成樹脂製の外れ防止片を配置させる構成であった。
【先行技術文献】
【特許文献】
【０００３】
【特許文献１】特開平９−２６６７４３号公報
【考案の概要】
【考案が解決しようとする課題】
【０００４】
この従来の逆さ針では、外れ防止片は、先端を、針本体の端末近傍に位置させるように構成されており、針本体を囮鮎に突き刺す際には、外れ防止片を撓ませるようにして、外れ防止片の先端と針本体の端末との隙間を広げた状態で、針本体を、囮鮎に突き刺していた。この針本体の囮鮎の突き刺し後には、外れ防止片は、先端を、囮鮎に突き刺されている針本体の端末近傍に位置させるように、復元されて、針本体の囮鮎からの外れを防止していた。
【０００５】
しかしながら、逆さ針は、小さなものであり、合成樹脂製の外れ防止片も小さなものであることから、合成樹脂製では、耐久性が良好ではなく、多数回の使用に耐えられないという問題点があった。
【０００６】
本考案は、上述の課題を解決するものであり、魚体から外れにくく、かつ、耐久性の良好な逆さ針を提供することを目的とする。
【課題を解決するための手段】
【０００７】
本考案に係る逆さ針は、外形形状を略Ｊ字形状に湾曲して構成されて、先端側の端末を魚体に突き刺し可能に構成される針本体と、
針本体の元部側から延びるとともに先端を前記端末近傍に位置させるように配置されて、針本体の魚体からの外れを抑制する外れ抑制ピンと、
を備える構成の逆さ針であって、
外れ抑制ピンが、金属製の線状材から構成されて、先端を、魚体に突き刺し可能に構成されるとともに、先端を、針本体の端末近傍において、端末の魚体からの抜け方向に略沿った方向側で、端末と対向させて配置させるように、形成されていることを特徴とする。
【０００８】
本考案の逆さ針では、針本体の魚体からの外れを抑制する外れ抑制ピンが、金属製の線状材から構成されていることから、従来の逆さ針と比較して耐久性が良好であり、多数回の使用に耐えることができる。また、本考案の逆さ針では、外れ抑制ピンも、先端を、魚体に突き刺し可能に構成されており、さらに、この外れ抑制ピンの先端は、針本体の端末の魚体からの抜け方向に略沿った方向側で、端末と対向して配置されていることから、針本体を魚体に突き刺して使用する際に、針本体が、魚体から抜けるように魚体に対して移動した際に、外れ抑制ピンの先端が、魚体に食い込むように突き刺さることとなり、針本体のさらなる移動を抑制できて、針本体が魚体から外れることを、的確に防止することができる。
【０００９】
したがって、本考案の逆さ針は、魚体から外れにくく、かつ、耐久性が良好である。
【００１０】
また、本考案の逆さ針において、外れ抑制ピンを、形状記憶合金製とすることが、好ましい。このような構成の逆さ針では、針本体を魚体に突き刺す際に、外れ抑制ピンを撓ませるようにして、外れ抑制ピンの先端と針本体の端末との隙間を広げた状態で、針本体を、魚体に突き刺した後に、針本体及び外れ抑制ピンから手を離せば、外れ抑制ピンが、先端を、魚体に突き刺されている針本体の端末近傍に位置させるように、復元されて、針本体の魚体からの外れを防止することとなる。そのため、魚体への固定作業が一層容易となり、また、形状記憶合金製とすることで、逆さ針の魚体への突き刺し後、外れ抑制ピンを、確実に、元の形状に復元させることができることから、逆さ針を、針本体と外れ抑制ピンとによって、安定して魚体に固定させることができる。
【図面の簡単な説明】
【００１１】
【図１】本考案の一実施形態である逆さ針の概略側面図である。
【図２】実施形態の逆さ針を使用した状態を示す概略図である。
【図３】実施形態の逆さ針を囮鮎に突き刺す過程を説明する概略図である。
【図４】実施形態の逆さ針を使用した状態の部分拡大概略図と、逆さ針が囮鮎に対して移動している状態を説明する部分拡大概略図である。
【考案を実施するための形態】
【００１２】
以下、本考案の一実施形態を図面に基づいて説明する。実施形態の逆さ針１は、鮎の友釣りに使用されるもので、図２に示すように、鼻カンＲや背針Ｎと併用されて囮鮎ＡをハリスＨに取り付けるためのものである。なお、実施形態では、特に断らない限り、逆さ針１を取り付ける魚体（囮鮎Ａ）の尾鰭ＡＳ側を後方として、説明をする。
【００１３】
実施形態の逆さ針１は、図２に示すように、囮鮎Ａの尾鰭ＡＳの付根近傍に刺して使用されるもので、針本体３と外れ抑制ピン８とを備えている。針本体３は、図１に示すように、外形形状を略Ｊ字形状として、元部３ａ側の直線状に延びる直線状部位４と、直線状部位４から延びて先端側を直線状部位４の元部側に向けるように湾曲して構成される湾曲部位５と、を備え、この湾曲部位５の先端側の端末５ａを、囮鮎Ａに突き刺し可能に構成されている。直線状部位４の元部端側には、ハリスＨを連結させるための連結環６が、配置されている。実施形態では、逆さ針１は、針本体３の端末５ａを後方に向けつつ、前後方向に略沿わせるようにして、囮鮎Ａに突き刺して、使用される構成である。
【００１４】
外れ抑制ピン８は、針本体３の元部３ａ側から延びるように配置されるもので、金属製の線状材から構成されている。実施形態の場合、外れ抑制ピン８は、形状記憶合金製とされている。詳細には、外れ抑制ピン８は、外径寸法を、針本体より小さくして、０．２ｍｍ程度の線状材から構成されている。外れ抑制ピン８は、元部８ａ側を、針本体３の直線状部位４に、結束線（図符号省略）を巻き付けることにより連結されているもので、先端９ａを、針本体３の湾曲部位５における端末５ａ近傍に配置させるように、直線状部位４に対して傾斜するように配置されている。実施形態の場合、外れ抑制ピン８の直線状部位４に対する傾斜角度α（図１参照）は、４５°程度に設定されている。この外れ抑制ピン８の直線状部位４に対する傾斜角度が小さすぎては、針本体３を囮鮎Ａに突き刺す際において、外れ抑制ピン８を撓ませても、針本体３と外れ抑制ピン８との間に隙間を確保し難く、針本体３を囮鮎Ａに突き刺す際の作業が容易ではない。また、逆に、外れ抑制ピン８の直線状部位４に対する傾斜角度が大きすぎては、囮鮎Ａを泳がせている最中において、針本体３が囮鮎Ａから外れるように逆さ針１が囮鮎Ａに対して前方移動した際に、外れ抑制ピン８が撓んでしまう場合があり、充分な外れ抑制効果を得難い場合がある。実施形態では、外れ抑制ピン８の直線状部位４に対する傾斜角度αが４５°程度にされていることから、針本体３の囮鮎Ａへの突き刺し作業時の作業性が良好で、かつ、外れ抑制ピン８によって、使用時の針本体３の囮鮎Ａからの抜けを的確に防止することができる。
【００１５】
実施形態の場合、外れ抑制ピン８の先端側部位９は、先端９ａを、針本体３の端末５ａと前後方向側（端末５ａの囮鮎Ａからの抜け方向に略沿った方向側）で対向させるように、屈曲されている。詳細には、この先端側部位９は、針本体３の端末５ａ付近の部位と略平行となるように、構成されている。そして、この外れ抑制ピン８の先端９ａは、囮鮎Ａに突き刺し可能に構成されるとともに、針本体３の端末５ａとの間に僅かな隙間を設けるようにして、端末５ａより僅かに上側（針本体３の内側）となる位置に配置されている。そして、針本体３の端末５ａと外れ抑制ピン８の先端９ａとは、前後方向側で僅かに重なる領域を有するとともに、先端９ａを端末５ａの後側で、端末５ａの囮鮎Ａからの抜け方向に沿った方向側で対向するように、構成されている。具体的には、実施形態の場合、外れ抑制ピン８の先端９ａと針本体３の端末５ａとの間の隙間ｔ（図１参照）は、０．２〜０．３ｍｍ程度に設定されている。このように、外れ抑制ピン８の先端９ａを、針本体３の端末５ａから僅かに上側（針本体の内側）に入った位置に配置させるとともに、針本体３の端末５ａと僅かに重なる領域を有する構成とすることにより、針本体３の端末５ａが囮鮎Ａから抜けようとした際に、外れ抑制ピン８の先端９ａを、囮鮎Ａに突き刺した状態を維持しやすく、針本体３自体が囮鮎Ａから抜けることを、的確に防止することができる。
【００１６】
実施形態の逆さ針１では、図３のＡに示すように、針本体３の湾曲部位５を下方に向けるようにして、針本体３の直線状部位４を把持した状態で、外れ抑制ピン８を、先端側部位９を針本体３の直線状部位４側に接近させるように撓ませつつ、針本体３の端末５ａを、後方に向けて、囮鮎Ａの尾鰭ＡＳの付根近傍に突き刺し、端末５ａを囮鮎Ａから露出させた状態で、手を離せば、図３のＢに示すように、外れ抑制ピン８が先端９ａを端末５ａ近傍に位置させるように復元して、逆さ針１を、囮鮎Ａに取り付けることができる。
【００１７】
そして、実施形態の逆さ針１では、針本体３の囮鮎Ａ（魚体）からの外れを抑制する外れ抑制ピン８が、金属製の線状材から構成されていることから、従来の逆さ針と比較して耐久性が良好であり、多数回の使用に耐えることができる。また、実施形態の逆さ針１では、外れ抑制ピン８も、先端９ａを、囮鮎Ａ（魚体）に突き刺し可能に構成されており、さらに、この外れ抑制ピン８の先端９ａは、針本体３の端末５ａと、端末５ａの囮鮎Ａからの抜け方向に沿った方向側（前後方向側）で対向して配置されていることから、針本体３を囮鮎Ａ（魚体）に突き刺して使用する際において、図４のＡ，Ｂに示すように、針本体３が、囮鮎Ａから抜けるように囮鮎Ａに対して前方移動した際に、外れ抑制ピン８の先端９ａが、囮鮎Ａに食い込むように突き刺さることとなり、針本体３（逆さ針１）のさらなる移動を抑制できて、針本体３が囮鮎Ａから外れることを、的確に防止することができる。
【００１８】
したがって、実施形態の逆さ針１は、囮鮎Ａ（魚体）から外れにくく、かつ、耐久性が良好である。
【００１９】
また、実施形態の逆さ針１では、外れ抑制ピン８を、形状記憶合金製としている。そのため、実施形態の逆さ針１では、針本体３を囮鮎Ａ（魚体）に突き刺す際に、外れ抑制ピン８を撓ませるようにして、外れ抑制ピン８の先端９ａと針本体３の端末５ａとの隙間を広げた状態で、針本体３を、囮鮎Ａに突き刺した後に、針本体３及び外れ抑制ピン８から手を離せば、外れ抑制ピン８が、先端９ａを、囮鮎Ａに突き刺されている針本体３の端末５ａ近傍に位置させるように、復元されて、針本体３の囮鮎Ａからの外れを防止することとなる。その結果、囮鮎Ａ（魚体）への固定作業が一層容易となり、また、形状記憶合金製とすることで、逆さ針１の囮鮎Ａ（魚体）への突き刺し後、外れ抑制ピン８を、確実に、元の形状に復元させることができることから、逆さ針１を、針本体３と外れ抑制ピン８とによって、安定して魚体に固定させることができる。なお、このような点を考慮しなければ、外れ抑制ピンを、適度な力で屈曲可能な金属製の線状材から構成し、針本体を魚体に突き刺した後に、先端を針本体の端末近傍に位置させるように、外れ抑制ピンを手で成形してもよい。
【００２０】
また、実施形態の逆さ針１では、外れ抑制ピン８は、先端９ａを、針本体３の端末５ａとの間に僅かな隙間を設けるようにして、端末５ａから僅かに上側（針本体の内側）に入った位置に配置させるとともに、針本体３の端末５ａと僅かに重なる領域を有する構成とされている。そのため、針本体３の端末５ａが囮鮎Ａから抜けようとした際に、外れ抑制ピン８の先端９ａを、囮鮎Ａに的確に突き刺すことができて、また、この先端９ａが囮鮎Ａに突き刺さった状態を維持しやすく（先端９ａが囮鮎Ａから抜け難く）、針本体３自体が囮鮎Ａから抜けることを、的確に防止することができる。
【符号の説明】
【００２１】
１…逆さ針、３…針本体、３ａ…元部、４…直線状部位、５…湾曲部位、５ａ…端末、８…外れ抑制ピン、９ａ…先端、Ｈ…ハリス、Ａ…囮鮎（魚体）。
【図１】
0003194960.tif 000003
【図２】
0003194960.tif 000004
【図３】
0003194960.tif 000005
【図４】
0003194960.tif 000006